(57)【要約】【課題】ＳＨＤＲモードにおいて１ｘシステムが圏外へ遷移したときにおいても、ＥＶＤＯ通信を継続できるとともに１ｘシステムを待ち受け状態へ復帰させることができる無線通信装置を提供する。【解決手段】１ｘシステムおよびＥＶＤＯシステムによる情報の送受信が可能な送信部（Ｔｘ）１およびプライマリ受信部（プライマリＲｘ）２と、１ｘシステムおよびＥＶＤＯシステムによる情報の受信が可能なセカンダリ受信部（セカンダリＲｘ）３と、ＳＨＤＲモードを設定する受信アンテナ制御部５と、ＳＨＤＲモードが設定されている際に、１ｘシステムが待ち受け処理を行う待ち受け状態から圏外状態に遷移すると、セカンダリ受信部（セカンダリＲｘ）３を用いて１ｘシステムを待ち受け状態へ復帰させる復帰処理を行う制御部４とを備える。【選択図】図１
2008135934.tif 000002
【特許請求の範囲】
【請求項１】
第１無線通信システムおよび第２無線通信システムによる情報の送受信が可能な送受信手段と、
前記第１無線通信システムおよび第２無線通信システムによる情報の受信が可能な受信手段と、
少なくとも前記第２無線通信システムが前記送受信手段および／または前記受信手段を用いて情報の送受信を行うとともに、所定のタイミングで前記受信手段を前記第２無線通信システムから第１無線通信システムに切り替えて、前記第１無線通信システムが前記受信手段を用いた待ち受け処理を行うモードを設定する設定手段と、
該設定手段により前記モードが設定されている際に、第１無線通信システムが待ち受け処理を行う待ち受け状態から圏外状態に遷移すると、前記受信手段を用いて当該第１無線通信システムを待ち受け状態へ復帰させる復帰処理を行う制御手段と、
を有することを特徴とする無線通信装置。
【請求項２】
前記制御手段は、前記受信手段を用いて当該第１無線通信システムを待ち受け状態へ復帰させる復帰処理を行う場合、前記第２無線通信システムが前記受信手段を用いて情報の受信を行うことを禁止することを特徴とする請求項１に記載の無線通信装置。
【請求項３】
前記制御手段は、前記第１無線通信システムが待ち受け処理を行う待ち受け状態から圏外状態に遷移した際に、前記第２無線通信システムが前記送受信手段および／または前記受信手段を用いて情報の送受信を行っていない場合は、前記送受信手段を用いて当該第１無線通信システムを待ち受け状態へ復帰させる復帰処理を行うことを特徴とする請求項１に記載の無線通信装置。
【請求項４】
第１無線通信システムおよび第２無線通信システムによる情報の送受信が可能な送受信手段と、前記第１無線通信システムおよび第２無線通信システムによる情報の受信が可能な受信手段とを用いた無線通信方法であって、
少なくとも前記第２無線通信システムが前記送受信手段および／または前記受信手段を用いて情報の送受信を行うとともに、所定のタイミングで前記受信手段を前記第２無線通信システムから第１無線通信システムに切り替えて、前記第１無線通信システムが前記受信手段を用いた待ち受け処理を行うモードが設定されている際に、第１無線通信システムが待ち受け処理を行う待ち受け状態から圏外状態に遷移すると、前記受信手段を用いて当該第１無線通信システムを待ち受け状態へ復帰させる復帰処理を行うことを特徴とする無線通信方法。
【発明の詳細な説明】
【技術分野】
【０００１】
本発明は、無線通信装置および無線通信方法に関するものである。
【背景技術】
【０００２】
近年、携帯電話等の無線通信装置には、それぞれの規格に応じた複数の方式が存在しており、例えば、日本の携帯電話方式では、ＴＤＭＡ方式、ＣＤＭＡ方式が普及している。
【０００３】
通常、無線通信装置は、何れか１つの規格に対応するように構成されているが、最近の例えば携帯電話方式では、端末の普及に伴って各方式に割当てられている周波数帯が逼迫していることから、マルチバンドへの移行が考えられている。また、安定した高機能のサービスを提供することから、異なる周波数帯間でのハンドオフや、複数の通信システム（例えば、ｃｄｍａ２０００  １ｘ方式と１ｘＥＶＤＯ方式等）で通信を行うマルチバンド／マルチモード化も行われている。
【０００４】
このようなマルチバンド／マルチモードに対応する無線通信装置として、例えばＴＤＭＡ方式とＣＤＭＡ方式とを組み合わせ、プライマリアンテナにＴＤＭＡ方式の送受信部とＣＤＭＡ方式の送信部とを結合し、セカンダリアンテナにＣＤＭＡ方式の受信部を結合した携帯電話端末が知られている（例えば、特許文献１参照）。
【０００５】
また、最近では、ｃｄｍａ２０００  １ｘＥＶＤＯシステムでの送受信をプライマリアンテナで行うと同時に、ｃｄｍａ２０００  １ｘシステムでの受信をセカンダリアンテナで行うＳＨＤＲ（Ｓｉｍｕｌｔａｎｅｏｕｓ  Ｈｙｂｒｉｄ  Ｄｕａｌ  Ｒｅｃｅｉｖｅｒ）機能を搭載して、プライマリアンテナによる通信のスループットの向上を図ったマルチバンド／マルチモード対応の携帯電話端末も考えられている。
【０００６】
図４は、このようなＳＨＤＲ機能を搭載した携帯電話端末の要部の概略構成を示す機能ブロック図である。
【０００７】
この携帯電話端末は、８００ＭＨｚ帯でのｃｄｍａ２０００方式（以下、８００ＭＨｚ帯と適宜略称する）および２ＧＨｚ帯でのｃｄｍａ２０００方式（以下、２ＧＨｚ帯と適宜略称する）による１ｘの通信システムと、１ｘＥＶＤＯ（以下、単にＥＶＤＯと適宜略称する）の通信システムとを有するとともに、１５７５．４２ＭＨｚ（以下、１．５ＧＨｚ帯と適宜略称する）のＧＰＳ周波数の受信機能を有するもので、変調回路および復調回路を有するベースバンド部１００に接続された送信部（Ｔｘ）１０１、プライマリ受信部（プライマリＲｘ）１０２およびセカンダリ受信部（セカンダリＲｘ）１０３を備えている。
【０００８】
送信部１０１およびプライマリ受信部１０２は、デュープレクサ１０４を介してプライマリアンテナ１０５に接続されて、８００ＭＨｚ帯および２ＧＨｚ帯での送受信が可能となっている。また、セカンダリ受信部１０３は、セカンダリアンテナ１０６に接続されて、プライマリ受信部１０２と独立して８００ＭＨｚ帯、２ＧＨｚ帯および１．５ＧＨｚ帯での受信が可能となっている。
【０００９】
この携帯電話端末では、ＥＶＤＯシステムによる通信においてはダイバシティ方式を採用するとともに、このＥＶＤＯ通信中には、定期的に１ｘ通信における基地局からの着信を通知する報知情報（ページング）を受信して音声着信を監視するようにしており、その動作モードとしてハイブリッドモードとＳＨＤＲ機能によるＳＨＤＲモードとがある。
【００１０】
ハイブリッドモードでは、図５（ａ）に示すように、ＥＶＤＯ通信中にプライマリアンテナ１０５側を定期的に１ｘ通信に切り替えて、ページングを受信するようにしている。なお、このハイブリッドモードでは、セカンダリアンテナ１０６側においても、プライマリアンテナ１０５側と同期して、１ｘ通信によるページングをダイバシティ受信する場合もある。また、ＳＨＤＲモードでは、図５（ｂ）に示すように、プライマリアンテナ１０５側はＥＶＤＯ通信を連続させ、セカンダリアンテナ１０６側を定期的に１ｘ通信に切り替えてページングを受信することにより、音声着信を監視するようにしている。
【００１１】
ここで、ＳＨＤＲモードでは、図５（ｂ）に示したように、プライマリアンテナ１０５側を１ｘ通信に切り替えることなく、ＥＶＤＯ通信を連続させるので、ハイブリッドモードの場合と比較して、ＥＶＤＯ通信のスループットを向上することができる。
【００１２】
しかし、セカンダリアンテナ１０６は、８００ＭＨｚ帯、２ＧＨｚ帯および１．５ＧＨｚ帯の３バンドを受信するため、８００ＭＨｚ帯および２ＧＨｚ帯の２バンドで送受信するプライマリアンテナ１０５と比較して、８００ＭＨｚ帯や２ＧＨｚ帯のアンテナ利得は、一般に低くなっている。例えば、図６に示すように、プライマリアンテナ１０５の８００ＭＨｚ帯および２ＧＨｚ帯におけるアンテナ利得が、それぞれ−３ｄＢｉおよび０ｄＢｉであるのに対して、セカンダリアンテナ１０６の８００ＭＨｚ帯および２ＧＨｚ帯におけるアンテナ利得は、それぞれ−１０ｄＢｉおよび−３ｄＢｉとなっている。このため、ＳＨＤＲモードでは、基地局からのページングの捕捉能力に関しては、ハイブリッドモードよりも低くなる。
【００１３】
そこで、従来は、図４に示すように、プライマリ受信部１０２あるいはセカンダリ受信部１０３で受信されてベースバンド部１００に入力された実際の１ｘ受信感度と、閾値メモリ１０７に予め格納した１ｘ受信感度の上限閾値および下限閾値とをモード切替え部１０８において比較し、その比較結果に基づいて、ハイブリッドモード中に１ｘ受信感度が上限閾値を超えたらＳＨＤＲモードに切り替え、ＳＨＤＲモード中に１ｘ受信感度が下限閾値以下になったらハイブリッドモードに切り替えるように、ベースバンド部１００、送信部１０１、プライマリ受信部（プライマリＲｘ）１０２およびセカンダリ受信部（セカンダリＲｘ）１０３を制御するようにしている。
【００１４】
図７は、ＳＨＤＲ機能を搭載した携帯電話端末のＳＨＤＲモードにおける動作を説明するフローチャートである。携帯電話端末の制御部は、ＳＨＤＲモードで動作中に、１ｘシステムが圏外状態であるか否かを判定する（ステップ３００）。１ｘシステムが圏内にある場合は、１ｘシステムの待ち受け処理を行い（ステップ３０１）、待ち受けに成功したか否かを判定し（ステップ３０２）、待ち受けに成功した場合は、そのまま処理を終了する。待ち受けに失敗した場合は１ｘシステムが圏外状態へ遷移し（ステップ３０３）、この場合は、パーシャルＳＨＤＲであるか否かを判定し（ステップ３０４）、パーシャルＳＨＤＲであればＳＨＤＲモードをＯＮ状態に維持し（ステップ３０６）、パーシャルＳＨＤＲでなければＳＨＤＲモードをＯＦＦにして処理を終了する（ステップ３０５）。なお、パーシャルＳＨＤＲとは、使用するアプリケーションがＳＨＤＲ動作を必要とするモードである。
【００１５】
ステップ３００において、１ｘシステムが圏外状態である場合は、次に、１ｘシステムの圏外スキャンの要求があるか否かを判定する（ステップ３０７）。圏外スキャンの要求がない場合は、そのまま処理を終了する。圏外スキャンの要求がある場合は、次に、ＥＶＤＯシステムによる通信が行われているか否かを判定する（ステップ３０８）。ＥＶＤＯシステムによる通信が行われていない場合は、プライマリ受信部（プライマリＲｘ）で１ｘシステムの圏外スキャンを行う（ステップ３０９）。
【００１６】
ステップ３０８において、ＥＶＤＯシステムによる通信が行われている場合は、ダイバシティ受信がＯＮであるか否かを判定し（ステップ３１０）、ダイバシティ受信がＯＦＦであれば、プライマリ受信部（プライマリＲｘ）で１ｘシステムの圏外スキャンを行う（ステップ３０９）。ダイバシティ受信がＯＮであれば、ＳＨＤＲモードがＯＮであるか否かを判定し（ステップ３１１）、ＳＨＤＲモードがＯＦＦであれば、プライマリ受信部（プライマリＲｘ）で１ｘシステムの圏外スキャンを行う（ステップ３０９）。ＳＨＤＲモードがＯＮであればそのまま処理終了する。
【特許文献１】特開２００４−１５１６２号公報
【発明の開示】
【発明が解決しようとする課題】
【００１７】
上述したＳＨＤＲ機能を搭載した携帯電話端末では、ＳＨＤＲモードにてＥＶＤＯ通信を行っている場合に、１ｘシステムが圏外、すなわち待ち受けを継続できない状態へ遷移すると、ハイブリッドモードへ切り替わる。このハイブリッドモードでは、１ｘシステムが定期的にプライマリ受信部を使用するので、その間、ＥＶＤＯ通信が途切れるという問題があった。また、１ｘシステムが圏外に遷移したときに、ハイブリッドモードへ切り替わらずにＥＶＤＯ通信を行っていると、１ｘシステムが圏内、すなわち待ち受け状態へ復帰することができなくなるという問題があった。
【００１８】
本発明は、このような問題点に鑑みてなされたものであり、本発明の目的は、ＳＨＤＲモードにおいて１ｘシステムが圏外へ遷移したときにおいても、ＥＶＤＯ通信を継続できるとともに１ｘシステムを待ち受け状態へ復帰させることができる無線通信装置および無線通信方法を提供することにある。
【課題を解決するための手段】
【００１９】
上記目的を達成するため、本発明の無線通信装置は、第１無線通信システムおよび第２無線通信システムによる情報の送受信が可能な送受信手段と、前記第１無線通信システムおよび第２無線通信システムによる情報の受信が可能な受信手段と、少なくとも前記第２無線通信システムが前記送受信手段および／または前記受信手段を用いて情報の送受信を行うとともに、所定のタイミングで前記受信手段を前記第２無線通信システムから第１無線通信システムに切り替えて、前記第１無線通信システムが前記受信手段を用いた待ち受け処理を行うモードを設定する設定手段と、該設定手段により前記モードが設定されている際に、第１無線通信システムが待ち受け処理を行う待ち受け状態から圏外状態に遷移すると、前記受信手段を用いて当該第１無線通信システムを待ち受け状態へ復帰させる復帰処理を行う制御手段とを有することを特徴とする。
【００２０】
前記制御手段は、前記受信手段を用いて当該第１無線通信システムを待ち受け状態へ復帰させる復帰処理を行う場合、前記第２無線通信システムが前記受信手段を用いて情報の受信を行うことを禁止することが好ましく、また、前記制御手段は、前記第１無線通信システムが待ち受け処理を行う待ち受け状態から圏外状態に遷移した際に、前記第２無線通信システムが前記送受信手段および／または前記受信手段を用いて情報の送受信を行っていない場合は、前記送受信手段を用いて当該第１無線通信システムを待ち受け状態へ復帰させる復帰処理を行うことが好ましい。
【００２１】
また、本発明の無線通信方法は、第１無線通信システムおよび第２無線通信システムによる情報の送受信が可能な送受信手段と、前記第１無線通信システムおよび第２無線通信システムによる情報の受信が可能な受信手段とを用いた無線通信方法であって、少なくとも前記第２無線通信システムが前記送受信手段および／または前記受信手段を用いて情報の送受信を行うとともに、所定のタイミングで前記受信手段を前記第２無線通信システムから第１無線通信システムに切り替えて、前記第１無線通信システムが前記受信手段を用いた待ち受け処理を行うモードが設定されている際に、第１無線通信システムが待ち受け処理を行う待ち受け状態から圏外状態に遷移すると、前記受信手段を用いて当該第１無線通信システムを待ち受け状態へ復帰させる復帰処理を行うことを特徴とする。
【発明の効果】
【００２２】
本発明は、ＳＨＤＲモードにおいて１ｘシステムが圏外へ遷移したときにおいても、セカンダリ受信部を使用して１ｘシステムの圏外スキャンを行うので、ＥＶＤＯ通信を継続できるとともに１ｘシステムを待ち受け状態へ復帰させることができる。
【発明を実施するための最良の形態】
【００２３】
本発明の実施の形態について図面を参照して説明する。図１は、本発明の無線通信装置としての携帯電話端末の要部の概略構成を示す機能ブロック図である。本実施の形態の携帯電話端末は、図４と同様に、８００ＭＨｚ帯および２ＧＨｚ帯によるｃｄｍａ２０００  １ｘの第１無線通信システム（以下、１ｘシステムと適宜略称する）と、１ｘＥＶＤＯの第２無線通信システム（以下、ＥＶＤＯシステムと適宜略称する）とを有するとともに、１．５ＧＨｚ帯のＧＰＳ周波数の受信機能を有するものである。
【００２４】
図１に示す携帯電話端末は、送信部（Ｔｘ）１と、プライマリ受信部（プライマリＲｘ）２と、セカンダリ受信部（セカンダリＲｘ）３と、制御部（制御手段）４と、受信アンテナ制御部（設定手段）５と、ダイバシティ制御値とＳＨＤＲ制御値を格納するメモリ６とを備えている。なお、図４に記載したベースバンド部、デュープレクサ、閾値メモリおよびその説明は、本発明の内容と直接には関係しないので省略している。図１において、送信部（Ｔｘ）１およびプライマリ受信部（プライマリＲｘ）２は、８００ＭＨｚ帯および２ＧＨｚ帯での送受信が可能となっている。また、セカンダリ受信部（セカンダリＲｘ）３は、プライマリ受信部２と独立して８００ＭＨｚ帯、２ＧＨｚ帯および１．５ＧＨｚ帯での受信が可能となっている。また、セカンダリ受信部３に接続されているセカンダリアンテナは、プライマリ受信部２に接続されているプライマリアンテナよりもアンテナ利得が低いものとする。
【００２５】
本発明の第１実施の形態は、上述した携帯電話端末において、ＳＨＤＲモードにおいて、ＥＶＤＯシステムによる通信中に、１ｘシステムが待ち受け処理を行う待ち受け状態から圏外状態に遷移すると、制御部（制御手段）８が、セカンダリ受信部（セカンダリＲｘ）３を用いて１ｘシステムを待ち受け状態へ復帰させる復帰処理を行うものである。
【００２６】
図２は、上述した携帯電話端末における第１実施の形態の動作を説明するフローチャートである。制御部（制御手段）４は、ＳＨＤＲモードで動作中に、１ｘシステムが圏外状態であるか否かを判定する（ステップ１００）。１ｘシステムが圏内にある場合は、定期的に１ｘシステムにおける基地局からの着信を通知する報知情報（ページング）を受信して音声着信を監視する１ｘシステムの待ち受け処理を行う（ステップ１０１）。次に、待ち受けに成功したか否かを判定し（ステップ１０２）、待ち受けに成功した場合は、そのまま処理を終了する。待ち受けに失敗した場合は１ｘシステムが圏外状態へ遷移し（ステップ１０３）、この場合は、ＳＨＤＲモードがＯＮ状態か否かを判定し（ステップ１０４）、ＳＨＤＲモードがＯＮ状態であれば、ＯＮ状態を維持し（ステップ１０５）、ＳＨＤＲモードがＯＮ状態でなければ、そのまま処理を終了する。
【００２７】
ステップ１００において、１ｘシステムが圏外状態である場合は、次に、１ｘシステムの圏外スキャンの要求があるか否かを判定する（ステップ１０６）。圏外スキャンの要求がない場合は、そのまま処理を終了する。圏外スキャンの要求がある場合は、次に、ＥＶＤＯシステムによる通信が行われているか否かを判定する（ステップ１０７）。ＥＶＤＯシステムによる通信が行われていない場合は、プライマリ受信部（プライマリＲｘ）２で１ｘシステムの圏外スキャンを行って、１ｘシステムを待ち受け状態へ復帰させる（ステップ１０８）。
【００２８】
ステップ１０７において、ＥＶＤＯシステムによる通信が行われている場合は、メモリ６内に格納されているＳＨＤＲ制御値によりＳＨＤＲモードがＯＮか否かを判定し（ステップ１０９）、ＳＨＤＲモードがＯＦＦの場合は、プライマリ受信部（プライマリＲｘ）２で１ｘシステムの圏外スキャンを行う（ステップ１０８）。ＳＨＤＲモードがＯＮの場合は、次に、メモリ６内に格納されているダイバシティ制御値によりダイバシティ受信がＯＮか否かを判定し（ステップ１１０）、ダイバシティ受信がＯＦＦの場合は、プライマリ受信部（プライマリＲｘ）２でＥＶＤＯ通信の受信を行い、セカンダリ受信部（セカンダリＲｘ）３で１ｘシステムの圏外スキャンを行う（ステップ１１２）。ダイバシティ受信がＯＮの場合は、ＥＶＤＯシステムがセカンダリ受信部（セカンダリＲｘ）３を用いて情報の受信を行うことを禁止する（ステップ１１１）。そして、プライマリ受信部（プライマリＲｘ）２でＥＶＤＯ通信の受信を行い、セカンダリ受信部（セカンダリＲｘ）３で１ｘシステムの圏外スキャンを行う（ステップ１１２）。
【００２９】
ＳＨＤＲ機能を搭載した現状の携帯電話端末では、ＳＨＤＲモードにてＥＶＤＯ通信を行っている場合に、１ｘシステムが圏外、すなわち待ち受けを継続できない状態へ遷移するとハイブリッドモードへ切り替わり、このハイブリッドモードでは、１ｘシステムが定期的にプライマリ受信部を使用するので、その間、ＥＶＤＯ通信が途切れるという問題があるが、本発明の第１実施の形態では、ＳＨＤＲモードをＯＮとしたままダイバシティ受信をＯＦＦにした場合に、セカンダリ受信部（セカンダリＲｘ）３を使用してハイブリッドモードの動作時に行う圏外スキャンを行うことにより、プライマリ受信部（プライマリＲｘ）２が１ｘシステムの受信に占有されることがないので、プライマリ受信部（プライマリＲｘ）２でＥＶＤＯシステムによる通信が継続可能である。
【００３０】
また、ＳＨＤＲ機能を搭載した現状の携帯電話端末では、１ｘシステムが圏外に遷移したときに、ハイブリッドモードへ切り替わらずにＥＶＤＯ通信を行っていると、１ｘシステムを圏内、すなわち待ち受け状態へ復帰させることができなくなるという問題があるが、本発明の第１実施の形態では、ＳＨＤＲモードをＯＮとしたままダイバシティ受信をＯＦＦにして、セカンダリ受信部（セカンダリＲｘ）３を使用して１ｘシステムの圏外スキャンを行うので、１ｘシステムを待ち受け状態へ復帰させることが可能である。
【００３１】
次に、本発明の第２実施の形態について説明する。ＳＨＤＲモードの動作を行っている場合における１ｘシステムの待ち受け動作では、基地局の規制状況を参照していないため、発信規制のかかっている基地局で待ち受けを行っていた場合は、１ｘシステムにより発信動作を行おうとした場合に発信が行えない場合があった。本発明の第２実施の形態は、第１実施の形態により、ＳＨＤＲモードにおいて１ｘシステムが圏外へ遷移したときにおいても待ち受け状態へ復帰できるようにするとともに、さらに１ｘシステムの待ち受け動作において基地局の規制状況を把握して、規制状況が低い基地局、発信規制のない基地局と待ち受けを行い、発信が行えるようにするものである。
【００３２】
図３は、基地局の規制状況を把握して規制状況が低い基地局、発信規制がかかっていない基地局を探して待ち受けを実施するときの動作を説明するフローチャートである。本発明の携帯電話端末は、最近待ち受けを行った基地局のリスト（待ち受け管理リスト）を作成してメモリ６内に格納している。待ち受け管理リストは、リスト管理情報とリスト０〜Ｎからなる。リスト管理情報には、登録リスト先頭ポインタと空きリスト先頭ポインタが格納され、リスト０〜Ｎには、それぞれ最近待ち受けを行った各基地局のバンドクラス、チャンネル、ＰＮ（Ｐｓｅｕｄｏ  Ｎｏｉｓｅ）値、ＰＳＩＳＴ（規制値）、ＡＣＣＴ（発信規制値）等が格納されている。
【００３３】
制御部（制御手段）４は、ステップ２００において、１ｘシステムの待ち受け処理を行う。次に、待ち受け管理リストをサーチして現基地局がリストの中にあるか否かを判定し（ステップ２０１）、現基地局がリストの中にある場合は、現基地局の登録リストのポインタを取得し（ステップ２０２）、時刻を取得し（ステップ２０７）、ＰＳＩＳＴ値を取得し（ステップ２０８）、ＡＣＣＴ値を取得する（ステップ２０９）。そして、取得した時刻、ＰＳＩＳＴ値、ＡＣＣＴ値を用いて登録リストを更新する。次に、取得したＰＳＩＳＴ値を、待ち受け管理リスト中の他の全ての基地局のＰＳＩＳＴ値と比較し（ステップ２１０）、取得した現基地局のＰＳＩＳＴ値が他の基地局のＰＳＩＳＴ値より高ければ、１ｘシステムを圏外に遷移させ（ステップ２１２）、現基地局を捕捉対象から外す（ステップ２１３）。
【００３４】
ステップ２１０において、現基地局のＰＳＩＳＴ値が他の基地局のＰＳＩＳＴ値より高くなければ、取得したＰＳＩＳＴ値を、待ち受け管理リスト中の他の全ての基地局のＰＳＩＳＴ値と比較する（ステップ２１１）。現基地局のＰＳＩＳＴ値が他の基地局のＰＳＩＳＴ値より低ければステップ２１０に戻り、現基地局のＰＳＩＳＴ値が他の基地局のＰＳＩＳＴ値と同じ場合は、ＡＣＣＴ値を比較し（ステップ２１４）、現基地局のＡＣＣＴ値が他の基地局のＡＣＣＴ値より高ければ、１ｘシステムを圏外に遷移させ（ステップ２１５）、現基地局を捕捉対象から外す（ステップ２１６）。ステップ２１４において、現基地局のＡＣＣＴ値が他の基地局のＡＣＣＴ値より低い、または同じならばステップ２１０に戻る。
【００３５】
ステップ２０１において、現基地局がリストの中にない場合は、待ち受け管理リストの中から空きリストを取得し（ステップ２０３）、現基地局のバンドクラス、チャンネル、ＰＮ値、時刻、ＰＳＩＳＴ（規制値）、ＡＣＣＴ（発信規制値）を取得して待ち受け管理リストに登録する（ステップ２０４〜２０９）。
【００３６】
なお、サーチした結果、基地局を捕捉できなかった場合や、一定期間が経過した場合には待ち受け管理リストの整理を行って登録リストの情報を新しくする。
【００３７】
本発明の第２実施の形態では、１ｘシステムの待ち受け動作にて基地局の規制状況を把握して、規制状況の高い、または発信の規制がかかっている基地局での待ち受け時には、圏外へ遷移し、規制状況が低く、かつ発信の規制がかかっていない基地局を探して待ち受けを実施することで、着信動作だけでなく、ＥＶＤＯシステムによる通信の切断後の１ｘシステムでの発信をも考慮した動作が行えるため、ユーザの利便性を向上させることができる。
【図面の簡単な説明】
【００３８】
【図１】本発明の携帯電話端末の要部の概略構成を示す機能ブロック図である。
【図２】第１実施の形態の動作を説明するフローチャートである。
【図３】第２実施の形態の動作を説明するフローチャートである。
【図４】ＳＨＤＲ機能を搭載した従来の携帯電話端末の概略構成を示す機能ブロック図である。
【図５】ＥＶＤＯ通信におけるハイブリッドモードおよびＳＨＤＲモードを説明するための図である。
【図６】図４に示すプライマリアンテナおよびセカンダリアンテナの利得を示す図である。
【図７】ＳＨＤＲ機能を搭載した携帯電話端末のＳＨＤＲモードにおける動作を説明するフローチャートである。
【符号の説明】
【００３９】
１  送信部（Ｔｘ）
２  プライマリ受信部（プライマリＲｘ）
３  セカンダリ受信部（セカンダリＲｘ）
４  制御部
５  受信アンテナ制御部
６  メモリ
【図１】
2008135934.tif 000003
【図２】
2008135934.tif 000004
【図３】
2008135934.tif 000005
【図４】
2008135934.tif 000006
【図５】
2008135934.tif 000007
【図６】
2008135934.tif 000008
【図７】
2008135934.tif 000009